(57)【要約】【課題】単層基板にて製造可能な液晶テレビジョン用基板構造および液晶テレビジョン用基板の提供を目的とする。【解決手段】インバータブロック４４を左右いずれかの端に形成し、デジタルブロック４２をインバータブロック４４とアナログブロック４１とを隔てるように上下いずれかの端に面して形成し、アナログブロック４１をインバータブロック４４の形成されない左右いずれかの端に形成し、電源ブロック４３をインバータブロック４４と隣り合う一隅に形成し、各ブロック４１〜４４のそれぞれの間および基板４０の周縁部にグランドを形成し、デジタルブロック４２において、パターンＰ１１、Ｐ１２の各ライン間にガードグランドＧＮＤ１１，１２を形成する。【選択図】図３
2007228166.tif 000002
【特許請求の範囲】
【請求項１】
映像を画面に表示する平坦な表示面を前面に向けた液晶パネルと、
音声を出力するスピーカと、
上記液晶パネルとスピーカと基板とを収容する樹脂製のキャビネットと、
ＩＣが実装されると共に同ＩＣの実装面が上記液晶パネルの背面と対面するように配置され、上記液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路と、が実装された基板と
を備える液晶テレビジョンにおいて、
上記基板は紙フェノールで形成された略矩形の一枚の単層基板であり、
上記基板において、
上記インバータ回路は左右いずれかの端に形成され、上記アナログ処理回路は上記インバータ回路の形成されない左右いずれかの端に形成され、上記デジタル処理回路はＩＣにて実現されるマイコンを備えるとともに上記インバータ回路と上記アナログ処理回路とを隔てるように上下いずれかの端に面して形成され、上記電源回路は上記インバータ回路と隣り合う一隅に形成され、周縁部に配線パターンにて形成される外周グランドが形成され、上記インバータ回路と上記デジタル処理回路と上記アナログ処理回路と上記電源回路のそれぞれのパターンを電気的に絶縁するグランドパターンが形成され、
上記ＩＣは、略矩形であるとともに、単層基板の中心よりも同単層基板の４辺のうち液晶パネルとインターフェースにて接続される複数のコネクタ部が形成されている辺に接近した所定位置にて、同ＩＣの４辺のうち上記コネクタ部とパターンを介して接続する複数のリードをそれぞれ外部に突出させた一つの角を挟んだ２辺を、上記コネクタ部が形成されている辺と垂直な方向を挟んで略対称の傾きを持って当該辺に向かわせた状態で実装され、
上記ＩＣの各辺より突出する複数のリードと上記複数のコネクタ部とを接続する複数のパターンは互いに略平行であり、同複数のパターンのうち上記２辺に接続されたパターンは上記液晶パネルを駆動するデジタル信号が出力されるともに、同複数のパターンのうち上記２辺以外に接続されたパターンからは上記アナログ処理回路よりアナログ信号が入力され、
上記２辺にから突出するリードと上記コネクタ部とを接続する上記複数のパターンのそれぞれのラインの間に、上記外周グランドに接続されたパターンであるところのガードグランドが各バターンそれぞれの間に挟まれるように形成され、
上記デジタル処理回路は表裏両面を金属製のシールドにて覆われ、
上記インバータ回路および上記電源回路における発熱部品は上下に並ぶ位置に配置されるとともに、上記ＩＣの位置と上記発熱部品の位置は左右にずらして配置され、
上記２辺に接続されたパターンには抵抗が直列に挿入されると共に、各パターンと隣り合う上記ガードグランドとの間にコンデンサが接続され、
上記外周グランドに接続されたパターンとして形成されるグランドが、上記２辺の間に位置する角から上記ＩＣの配置される領域内に侵入して形成され、上記ＩＣの配置される位置に上記ＩＣと略同一形状のグランドパターンが形成され、上記角以外の角より同グランドパターンよりパターンとしてそれぞれ延出され、上記ＩＣの角付近のグランド用リードや、上記ＩＣの角付近に実装されるデバイスと電気的に接続されている
ことを特徴とする液晶テレビジョン。
【請求項２】
液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路とを単層基板に実装した液晶テレビジョン用基板構造において、
上記インバータ回路は左右いずれかの端に形成され、上記デジタル処理回路はＩＣにて実現されるマイコンを備えるとともに上記インバータ回路と上記アナログ処理回路とを隔てるように上下いずれかの端に面して形成され、上記アナログ処理回路は上記インバータ回路の形成されない左右いずれかの端に形成され、上記電源回路は上記インバータ回路と隣り合う一隅に形成され、上記インバータ回路と上記デジタル処理回路と上記アナログ処理回路と上記電源回路のそれぞれの間および上記単層基板の周縁部に外周グランドが形成され、
上記デジタル処理回路において、上記ＩＣと上記出力端子とを接続する出力ラインにガードグランドが形成されることを特徴とする液晶テレビジョン用基板構造。
【請求項３】
上記ガードグランドは上記出力ラインの間に形成される
ことを特徴とする上記請求項２に記載の液晶テレビジョン用基板構造。
【請求項４】
上記ＩＣは略矩形であり、
同ＩＣの下に当該ＩＣと略同一形状のグランドパターンが形成されるとともに、同グランドパターンと電気的に接続しつつ当該ＩＣの四隅から四方へと延出されるグランドパターンが形成される
ことを特徴とする上記請求項２または上記請求項３に記載の液晶テレビジョン用基板構造。
【請求項５】
上記電源回路より電源電圧を供給するレギュレータは、上記アナログ処理回路と上記デジタル処理回路とに電源電圧を供給することを特徴とする上記請求項２〜請求項４に記載の液晶テレビジョン用基板構造。
【請求項６】
上記インバータ回路および上記電源回路の発熱部品は、
上下に並ぶ位置に配置されるとともに、上記ＩＣの位置と上記発熱部品は左右にずれた位置に配置される
ことを特徴とする上記請求項２〜請求項５のいずれかに記載の液晶テレビジョン用基板構造。
【請求項７】
上記単層基板は絶縁体に紙が使用される紙基板である
ことを特徴とする上記請求項２〜請求項６のいずれかに記載の液晶テレビジョン用基板構造。
【発明の詳細な説明】
【技術分野】
【０００１】
本発明は、液晶テレビジョンおよび液晶テレビジョン用基板構造に関する。
【背景技術】
【０００２】
デジタル回路とアナログ回路が混在する環境では、デジタル回路で発生したノイズがアナログ回路に侵入しアナログ回路の性能が劣化するのを防ぐ必要がある。従来においては、デジタル回路は多層基板にて構成されており、多層基板の表層付近の層全体にグランドを取ることによりノイズシールドとしたり、デジタル回路をシールドケースにて覆ったりしていた。
【０００３】
図５は、従来において多く用いられてきた、液晶テレビジョンが筺体内に備える基板の構造を簡略的に示している。
この基板構造においては、物理的に離れた複数の基板を用意し、それぞれに所定の電子回路等を実装していた。具体的には、映像信号処理および液晶パネルの駆動処理などのデジタル処理を実行するＩＣ１４２ａを積層ガラス基板（デジタル基板）１４２に実装し、電源ブロック１４３やインバータブロック１４４やアナログブロック１４１など、上記ＩＣ１４２ａ以外の液晶テレビジョンとしての機能を実現するために必要な各種回路や複数の入出力端子１４１ａやチューナ１４１ｂを、積層ガラス基板１４２とは別の基板１４０に実装していた。図示は省略してあるが、両基板の各層には所定の配線パターンが形成されている。また、同図の１８２は積層ガラス基板１４２と基板１４０とを電気的に接続するハーネスであり、１８０はＩＣ１４２ａが液晶パネルを駆動するパネル駆動信号を液晶パネル１２０に送出するためのインターフェースである。
【０００４】
上記のように積層ガラス基板１４２と基板１４０とを用いるのは、ＩＣ１４２ａの特性による。つまり、液晶テレビジョンに搭載されるＩＣ１４２ａは、デジタル処理を行うとともデジタルにて上記パネル駆動信号を出力する。従って、パネル駆動信号の流れる配線パターンからは高周波ノイズが輻射されるため、積層ガラス基板１４２のいずれかの層をグランドとすることにより、当該高周波ノイズをシールドしていた。
【０００５】
特許文献１には、デジタル信号処理回路は多層プリント基板の中心部に配置し、アナログ信号処理回路は多層基板の周囲にデジタル信号処理回路の周囲を取り囲むように配置し、デジタル信号処理回路を包み込むように多層プリント基板表面に金属板又はそれに類する導体膜を設け、それをアナログアースパターンと接続するとともに、多層プリント基板の裏面にも金属板又はそれに類する導体膜を設ける旨の記載がなされている。
【特許文献１】特開平０３−１０６０９７号
【発明の開示】
【発明が解決しようとする課題】
【０００６】
しかしながら、積層ガラス基板をはじめとする多層基板は基板自体が高価であるとともに、製造に特別な装置や工程を必要とするため専門メーカーによって製造される必要があり、製造コストが高くなる。また、必要とする部分のみに多層基板を使用し、それ以外を単層基板や両面実装基板にて実現する方法も考えられるが、製造工程が２系統になるためやはり製造コストが高くなる。
本発明は、上記課題に鑑みてなされたもので、単層基板にて製造可能な液晶テレビジョン用基板構造および液晶テレビジョン用基板の提供を目的とする。
【課題を解決するための手段】
【０００７】
上記課題を解決するために、本発明の請求項１にかかる発明では、映像を画面に表示する平坦な表示面を前面に向けた液晶パネルと、音声を出力するスピーカと、上記液晶パネルとスピーカと基板とを収容する樹脂製のキャビネットと、ＩＣが実装されると共に同ＩＣの実装面が上記液晶パネルの背面と対面するように配置され、上記液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路と、が実装された基板とを備える液晶テレビジョンにおいて、上記基板は紙フェノールで形成された略矩形の一枚の単層基板であり、上記基板において、上記インバータ回路は左右いずれかの端に形成され、上記アナログ処理回路は上記インバータ回路の形成されない左右いずれかの端に形成され、上記デジタル処理回路はＩＣにて実現されるマイコンを備えるとともに上記インバータ回路と上記アナログ処理回路とを隔てるように上下いずれかの端に面して形成され、上記電源回路は上記インバータ回路と隣り合う一隅に形成され、周縁部に配線パターンにて形成される外周グランドが形成され、上記インバータ回路と上記デジタル処理回路と上記アナログ処理回路と上記電源回路のそれぞれのパターンを電気的に絶縁するグランドパターンが形成され、上記ＩＣは、略矩形であるとともに、単層基板の中心よりも同単層基板の４辺のうち液晶パネルとインターフェースにて接続される複数のコネクタ部が形成されている辺に接近した所定位置にて、同ＩＣの４辺のうち上記コネクタ部とパターンを介して接続する複数のリードをそれぞれ外部に突出させた一つの角を挟んだ２辺を、上記コネクタ部が形成されている辺と垂直な方向を挟んで略対称の傾きを持って当該辺に向かわせた状態で実装され、上記ＩＣの各辺より突出する複数のリードと上記複数のコネクタ部とを接続する複数のパターンは互いに略平行であり、同複数のパターンのうち上記２辺に接続されたパターンは上記液晶パネルを駆動するデジタル信号が出力されるともに、同複数のパターンのうち上記２辺以外に接続されたパターンからは上記アナログ処理回路よりアナログ信号が入力され、上記２辺にから突出するリードと上記コネクタ部とを接続する上記複数のパターンのそれぞれのラインの間に、上記外周グランドに接続されたパターンであるところのガードグランドが各バターンそれぞれの間に挟まれるように形成され、上記デジタル処理回路は表裏両面を金属製のシールドにて覆われ、上記インバータ回路および上記電源回路における発熱部品は上下に並ぶ位置に配置されるとともに、上記ＩＣの位置と上記発熱部品の位置は左右にずらして配置され、上記２辺に接続されたパターンには抵抗が直列に挿入されると共に、各パターンと隣り合う上記ガードグランドとの間にコンデンサが接続され、上記外周グランドに接続されたパターンとして形成されるグランドが、上記２辺の間に位置する角から上記ＩＣの配置される領域内に侵入して形成され、上記ＩＣの配置される位置に上記ＩＣと略同一形状のグランドパターンが形成され、上記角以外の角より同グランドパターンよりパターンとしてそれぞれ延出され、上記ＩＣの角付近のグランド用リードや、上記ＩＣの角付近に実装されるデバイスと電気的に接続されている構成としてある。
【０００８】
また、上記目的を達成するために、請求項２に記載の液晶テレビジョン用基板構造では、液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路とを単層基板に実装した液晶テレビジョン用基板構造において、上記インバータ回路は左右いずれかの端に形成され、上記デジタル処理回路はＩＣにて実現されるマイコンを備えるとともに上記インバータ回路と上記アナログ処理回路とを隔てるように上下いずれかの端に面して形成され、上記アナログ処理回路は上記インバータ回路の形成されない左右いずれかの端に形成され、上記電源回路は上記インバータ回路と隣り合う一隅に形成され、上記インバータ回路と上記デジタル処理回路と上記アナログ処理回路と上記電源回路のそれぞれの間および上記単層基板の周縁部に外周グランドが形成され、上記デジタル処理回路において、上記ＩＣと上記出力端子とを接続する出力ラインにガードグランドが形成される構成としてある。
上記のように構成した請求項２にかかる発明において、上記ガードグランドは上記出力ラインより輻射されるノイズを低減する。
【０００９】
そして、請求項３にかかる発明では、上記請求項２に記載の液晶テレビジョン用基板構造において、上記ガードグランドは上記出力ラインの間に形成されること構成としてある。
【００１０】
さらに、請求項４にかかる発明では、上記請求項２または上記請求項３に記載の液晶テレビジョン用基板構造において、上記ＩＣは略矩形であり、同ＩＣの下に当該ＩＣと略同一形状のグランドパターンが形成されるとともに、同グランドパターンと電気的に接続しつつ当該ＩＣの四隅から四方へと延出されるグランドパターンが形成される構成としてある。
上記のように構成した請求項４にかかる発明において、上記グランドパターンは上記ＩＣおよび上記ＩＣの周辺に配置された電子デバイスにグランドを供給する。
【００１１】
さらに、請求項５にかかる発明は、上記請求項２〜請求項４に記載の液晶テレビジョン用基板構造において、上記電源回路より電源電圧を供給するレギュレータは、上記アナログ処理回路と上記デジタル処理回路とに電源電圧を供給する構成としてある。
【００１２】
さらに、請求項６にかかる発明は、上記請求項２〜請求項５のいずれかに記載の液晶テレビジョン用基板構造において、上記インバータ回路および上記電源回路の発熱部品は、上下に並ぶ位置に配置されるとともに、上記ＩＣの位置と上記発熱部品は左右にずれた位置に配置される構成としてある。
【００１３】
さらに、請求項７にかかる発明は、上記請求項２〜請求項６のいずれかに記載の液晶テレビジョン用基板構造上記単層基板は絶縁体に紙が使用される紙基板であること構成としてある。
【発明の効果】
【００１４】
以上説明したように本発明によれば、各回路のレイアウトの最適化およびデジタルブロックにおけるガードグランドの形成といったノイズ対策を施すことにより、一枚の単層基板上に、液晶テレビジョンの駆動に必要な全ての電子回路を実装することが可能となり、単一の工程で実装が行える。従って、基板の基材と生産ラインの両者においてコストダウンを図ることが可能となると共に、取り付けの手間が減少するため作業者のミスを少なくすることが可能な液晶テレビジョン用基板構造を提供することが可能となる。
また請求項３にかかる発明によれば、デジタルブロックから輻射されるノイズをより低減することの可能な液晶テレビジョン用基板構造を提供することが可能となる。
そして請求項４にかかる発明によれば、よりノイズの輻射を低減することの可能な液晶テレビジョン用基板構造を提供することが可能となる。
さらに請求項５にかかる発明によれば、アナログブロックに電源電圧を供給するレギュレータとデジタルブロックに電源電圧を供給するレギュレータとを共通化したため、基板のスペースを増やし、基板面積を有効利用することが可能な液晶テレビジョン用基板構造を提供することが可能となる。
また請求項６にかかる発明によれば、マイコンを含むＩＣに、発熱部品より放出される熱の影響が及びにくい液晶テレビジョン用基板構造を提供することが可能となる。
そして請求項７にかかる発明によれば、紙基板を使用するため、さらなるコストダウンを図ることの可能な液晶テレビジョン用基板構造を提供することが可能となる。
さらに請求項１のような、より具体的な構成において、上述した請求項２〜請求項７の各発明と同様の作用を奏することはいうまでもない。
【発明を実施するための最良の形態】
【００１５】
以下、下記の順序に従って本発明の実施形態を説明する。
（１）液晶テレビジョンの概略構造：
（２）液晶テレビジョン用基板構造：
（３）まとめ：
【００１６】
（１）液晶テレビジョンの概略構造： 
図１は、本考案にかかる液晶テレビジョン１００の概略構造を斜視図によって示している。
同図に示すように、液晶テレビジョン１００は、フロントキャビネット１０とリアキャビネット３０とが形成する樹脂製のテレビジョンキャビネットの内部に、前方から後方に向けて液晶パネル２０、基板４０の順にこれらを収容することにより構成される。フロントキャビネット１０は、略中央に開口１６を形成したフロント面１１と、フロント面１１の上下左右の各辺から略後方に延出する側面とによって構成される。
【００１７】
液晶パネル２０は、映像を画面に表示する平坦な表示面を前面に向けており、概略、パネル部とバックライト部とからなる。パネル部は、偏光板、ガラス基板、液晶、導光板、反射板等の部材を層状に重ねて構成したものであり、バックライト部は、導光板の上下各側縁付近に配設された蛍光管によって構成される。詳しくは後述するが、パネル部は、基板４０に実装されてマイコンとして動作するＩＣ４２ａと接続し、バックライト部は、同じく基板４０に実装されたインバータブロック４４と接続している。
【００１８】
フロント面１１は、液晶パネル２０を前方から覆うとともに、開口１６によって液晶パネル２０の画像表示面を外部に露出させる。リアキャビネット３０は、フロントキャビネット１０の後端と接続して、液晶パネル２０および基板４０を後方から覆う。
【００１９】
基板４０は、本考案にかかる液晶テレビジョン用基板構造を採用した基板であり、全体が略矩形の一枚の紙フェノール基板である。基板４０としては、紙フェノール基板以外にも、紙エポキシ基板、ガラスエポキシ基板、テフロン（登録商標）基板等、種々の基板を採用可能であるが、本実施形態においては、絶縁体に紙が使用されて安価な紙フェノールを採用する。基板４０はＩＣ４２ａが実装される実装面が液晶パネル２０の背面と対面するように配置される。
【００２０】
（２）液晶テレビジョン用基板構造 
以下に、本考案にかかる液晶テレビジョン用基板構造の特徴を説明する。
図２は、基板４０における各電子回路の配設位置などを概略的に示している。基板４０は、片面にのみ配線パターンＰを配した単層基板である。ただし同図においては、存在するパターンＰの一部のみを図示している。
【００２１】
基板４０のパターンは、インバータブロック４４とアナログブロック４１とデジタルブロック４２と電源ブロック４３の４つのブロックより構成される。各ブロック間にはグランドパターンにて互いに電気的に絶縁されており、ブロック間はケーブルやジャンパ線にて接続される。
【００２２】
インバータブロック４４には液晶パネルが備えるバックライトに交流電圧を供給するインバータ回路が実装され、アナログブロック４１にはチューナ４１ｂや入出力端子４１ａを備えて入力された映像・音声信号にアナログ処理を行うアナログ処理回路が実装され、デジタルブロック４２にはアナログブロック４１から入力されるアナログの映像・音声信号にデジタル処理を行うＩＣ４２ａを始め、液晶パネルにパネル駆動信号を送出する出力端子を備えるデジタル処理回路が実装され、電源ブロック４３には各ブロックの回路及び液晶テレビジョン１００の各部に電源電圧を供給する電源回路が実装される。つまり、一枚の単層基板上に、液晶テレビジョン１００の駆動に必要な全ての電子回路を実装している。
【００２３】
各ブロックの配置のされ方としては、まず、バックライトにインバータハーネスを介して交流電圧を供給するインバータブロック４４は、基板４０のいずれかの辺に沿って配置される。上記インバータハーネスは、ノイズの輻射が大きく、かつ、配線距離が長くなるほどバックライトに供給する電圧のばらつきの原因となるため、他の回路を跨がずに最短距離でバックライトと接続する必要があり、基板４０の辺に沿って配置される。
【００２４】
次に、上記インバータハーネスから輻射されるアナログノイズの影響を小さくする為に、アナログノイズの影響を受けやすいアナログブロック４１をインバータブロック４４と反対側の辺に沿って配置する。特に入出力信号にノイズが乗りやすいため、入出力端子はインバータハーネスの導出されるコネクタ部４４ｂの配置される辺と反対の端に沿って配置される。
【００２５】
そして、アナログブロック４１とインバータブロック４４との間に両ブロックを隔てるように、インバータブロック４４より輻射されるアナログノイズの影響を最も受けにくいデジタルブロック４２を配置する。デジタルブロックからは液晶パネルを駆動するパネル駆動信号を出力するインターフェース８０が接続されるため、入出力端子４１ａとコネクタ部４４ｂの面していないいずれかの端に沿って配置される。
【００２６】
さらに、電源ブロック４３からは各ブロックへ電源が供給されるが、インバータブロック４４が最も電力を必要とするため、電源ブロック４３はインバータブロック４４の隣に位置することが望ましい。しかしながら、電源供給ラインもノイズを輻射する為、他のブロックを跨ぐのは好ましくない。加えて電源ブロック４３の一次電源回路は、ケーブル４３ｃを介して外部商用電源からの電源電圧が供給されるため基板の橋にある必要があるとともに、二次電源回路との間に沿面距離が必要であるため基板の角を含む端にあると基板を有効利用できる。
【００２７】
以上４つの配置条件に従って各ブロックを配置すると、４つのブロックのうちいずれか２つの位置が決まるとずべてのブロックの位置が決定される。本実施例においては、インバータブロック４４は基板４０の左右いずれかの端に形成され、デジタルブロック４２は上下いずれかの端に形成され、アナログブロック４１はインバータ回路の形成されない左右いずれかの端に形成され、電源ブロック４３はインバータブロック４４と隣り合う一隅に形成され、各ブロックの間にはグランドパターンが形成されて各ブロック間のパターンを電気的に絶縁する。
【００２８】
さらに、アナログブロック４１は、インバータブロック４４からの影響よりは小さいもののデジタルブロック４２からの影響を受ける為、図４のようにデジタルブロック４２の半田面全体を導体膜にてシールドする。むろん実装面も含めた表裏両面を導体膜で覆っても構わない。本実施例においては厚み１ｍｍ程度の金属板にてデジタルブロック４２全体を覆う。さらにデジタルブロック４２は後述するノイズ対策を施し、アナログブロック４１への影響を低減する。
【００２９】
次に各ブロックの詳細について説明する。
アナログブロック４１は、入出力端子４１ａ、チューナ４１ｂ等からなり、図示しないアンテナによって受信した放送信号がチューナ４１ｂに入力され、同チューナ４１ｂが同入力された放送信号から所定の中間周波信号を抽出してアナログ信号として出力する。
【００３０】
デジタルブロック４２は映像・音声信号に所定のデジタル処理を行うとともにマイコンとしての機能も具備するＩＣ４２ａを備える。ＩＣ４２ａは、液晶テレビジョン１００における映像および音声についてのデジタル処理の核となる略矩形のデバイスであり、上記中間周波信号をアナログ信号としてアナログブロック４１から受け取り、同中間周波信号に対する復調処理を行って映像信号および音声信号を生成する。そして、この映像信号に基づいて、液晶パネル２０の各画素を駆動して映像表示をさせるためのパネル駆動信号を生成し、同生成したパネル駆動信号をデジタル信号として液晶パネル２０に対して出力する。
【００３１】
パネル駆動信号は、基板４０と液晶パネル２０とを接続するインターフェース８０を介して出力される。デジタルブロック４２の基板４０における外縁部には、コネクタ部４２ｂ，４２ｃが備えられており、当該コネクタ部４２ｂ，４２ｃは、ＩＣ４２ａからコネクタ部４２ｂ，４２ｃに向けて形成されたパターンＰと上記インターフェース８０とを電気的に接続する役割を果たす。ここでインターフェース８０は、いわゆるＲＳＤＳインターフェースや、ＣＭＯＳインターフェースなどの駆動方式を採用可能である。
【００３２】
一方、ＩＣ４２ａが生成した音声信号は、アナログブロック４１に出力され、図示しない、Ｄ／Ａ変換器、音声アンプ等にて所定の処理が施された後、入出力端子４１ａへと出力される。すなわち、Ｄ／Ａ変換器にてＤ／Ａ変換した音声信号が音声アンプによって増幅され、同増幅後の音声信号が入出力端子４１ａを介して図示しないスピーカに出力される。
【００３３】
電源ブロック４３は、ＩＣ４２ａや他のブロックに対して電源電圧を供給する。電源ブロック４３は、整流回路４３ａ、トランス４３ｂ等からなる。整流回路４３ａは、ケーブル４３ｃを介して液晶テレビジョン外部の商用交流電源から交流電圧を入力されるとともに、同交流電圧を直流電圧に変換する。直流化された電圧はトランス４３ｂの１次側に入力され、同トランス４３ｂの２次側にて所定のレベルとなった直流電圧が出力される。このようにして出力された直流電圧は、基板上に形成されるパターンやケーブル、ジャンパ線などを介してＩＣ４２ａや他のブロックに供給される。アナログブロック４１及びデジタルブロック４２へ供給される直流電圧は、共通のレギュレータにて電圧調整されて両ブロックへ供給される。
【００３４】
インバータブロック４４は、インバータ４４ａ、コネクタ部４４ｂ等からなる。インバータ４４ａには、電源ブロック４３から直流電圧が供給される。インバータ４４ａは、当該直流電圧を交流に変換した上でコネクタ部４４ｂに出力する。コネクタ部４４ｂからは、上記バックライト部に接続するケーブルが延出しており、コネクタ部４４ｂおよびこのケーブルを介してバックライト部に交流電圧が印加される。
【００３５】
さらに、基板４０上には、信号入出力用の入出力端子４１ａが実装されるとともに、図示しない多数の抵抗素子やコンデンサやダイオード素子が所定のパターン上に必要に応じて実装される。
【００３６】
ところで、電源ブロック４３およびインバータブロック４４には、トランス４３ｂやインバータ４４ａなどの発熱部品が配置されるが、これら発熱部品から発せられる熱のＩＣ４２ａに対する影響を最小とするため、これら発熱部品を上下に並ぶ位置に配置するとともに、ＩＣ４２ａの位置と同発熱部品の位置を左右にずらして配置する。具体的には、図２のように、基板４０の端の破線４５にて囲まれる位置に発熱部品であるインバータ４４ａやトランス４３ｂなどを配置し、ＩＣ４２ａを基板４０の左右方向において中央付近に配置する。
【００３７】
図３は、基板４０上に実装されたＩＣ４２ａとコネクタ４２ｂ、４２ｃを破線で示すと共に、同ＩＣ４２ａ周辺の基板４０上のパターンを模式的に示している。
【００３８】
ＩＣ４２ａは、４つの辺からそれぞれに複数の金属製のリードを突出させており、基板実装時に基板４０のパターンと半田付けなどにより電気的に接続される。上述したように、ＩＣ４２ａの各辺と基板４０の各辺とは平行ではない。具体的には、ＩＣ４２ａは、各辺５１〜５４のうち、上記パネル駆動信号を出力するためのリードを突出させている辺５１および辺５２のいずれもがコネクタ部４２ｂ、４２ｃの実装されている基板４０の辺縁部を向くように実装される。すなわち、辺５１，５２がそれぞれに上記辺縁部との間に成す角度は、上記端部と垂直な方向（図中のＹ方向）を挟んで略対称となっている。
【００３９】
つまり、基板４０の中心よりも同基板４０の４辺のうちコネクタ部４２ｂ、４２ｃが形成されている辺に接近した所定位置にて、ＩＣ４２ａの４辺のうちコネクタ部４２ｂ，４２ｃとパターンＰ１１，Ｐ１２を介して接続する複数のリードをそれぞれ外部に突出させた一つの角を挟んだ２辺を、コネクタ部４２ｂ，４２ｃが形成されている辺と垂直な方向を挟んで略対称の傾きを持って当該辺に向かわせた状態で実装される。
【００４０】
ここで図２から明らかなように、本実施形態では、ＩＣ４２ａを、基板４０の中心よりも上記コネクタ部４２ａ，４２ｂを備えた辺縁部寄りに配置するとともに、同ＩＣ４２ａの各辺が基板４０の各辺と平行とはならない角度にて実装する。すなわち、ＩＣ４２ａは、インターフェース８０を基板４０側に接続するコネクタ４２ｂ，４２ｃを備えた周縁部に近い位置にて、パネル駆動信号を出力するリードを突出させる辺５１，５２の両方を周縁部に対して向かせた状態で実装されている。
【００４１】
これにより、ＩＣ４２ａのパネル駆動信号を出力する各リードとコネクタ４２ｂ、４２ｃとの間を短距離化し、パターンＰ１１、Ｐ１２より輻射されるノイズを低減すると共にパターンＰ１１、Ｐ１２がノイズの影響を受けにくくする。また、上記パターンの短距離化に加え、複数本のパターンＰ１１，Ｐ１２をそれぞれ略平行に引き回したため、基板４０上の狭いスペースにてＩＣ４２ａとコネクタ部４２ｂ，４２ｃとを接続することができる。さらに、基板４０の中心部を避けてＩＣ４２ａを配置することにより、ディップ層による半田付けを行う際に生じる反りの影響を避けることが可能となる。
【００４２】
また、ＩＣ４２ａの辺５１および辺５２にはデジタルのパネル駆動信号が出力されるリードが集中して配置されるとともにパターンＰ１１およびパターンＰ１２は辺５１および辺５２の面する周縁部に向かって形成され、辺５３および辺５４にはアナログの中間周波信号が入力されるラインが集中して配置されるとともにパターンＰ２１およびパターンＰ２２は上記パターンＰ１１およびパターンＰ１２と反対方向に向かって形成されている。
【００４３】
つまり、デジタル信号の出力ラインと、アナログ信号の入力ラインとを分けて配置することにより、デジタル信号の出力ラインから輻射されるノイズがアナログ信号の入力ラインへ及ぼす影響を最小とする。
【００４４】
辺５１から突出する各リードのうちパネル駆動信号を出力するリードと、コネクタ部４２ｂとの間には、各リードに対応して複数本のパターンＰ１１が形成されている。同様に、辺５２から突出する各リードのうちパネル駆動信号を出力するリードと、コネクタ部４２ｃとの間には、各リードに対応して複数本のパターンＰ１２が形成されている。辺５１とコネクタ部４２ｂとの間を接続する複数本のパターンＰ１１は互いに略平行であり、同様に、辺５２とコネクタ部４２ｃとの間を接続する複数本のパターンＰ１２も互いに略平行である。
【００４５】
辺５１および辺５２より突出するリードから出力される信号は液晶パネル２０を制御するデジタル信号であるため高周波信号である。つまり、パターンＰ１１およびパターンＰ１２は液晶テレビジョン１００のなかでノイズの出やすい部位となる。従って、パターンＰ１１およびパターンＰ１２より輻射されるノイズをカットする為のグランドパターンが形成される。
【００４６】
具体的には、パターンＰ１１およびパターンＰ１２のそれぞれのラインの間に、基板４０の周縁部に形成されてアース電位が確保された外周グランドＧＮＤ０と電気的に接続されたガードグランドＧＮＤ１１およびガードグランドＧＮＤ１２が形成される。これらガードグランドＧＮＤ１１およびＧＮＤ１２はパターンＰ１１およびパターンＰ１２を構成する各バターンそれぞれの間に挟まれるように形成され、パターンとガードグランドとが交互に並ぶように形成される。従って、パターンＰ１１とパターンＰ１２より輻射されるノイズをの影響を他の回路に及ぼすことを防ぐのみならず、パターンＰ１１およびパターンＰ１２を構成する各ライン間におけるノイズの影響も防ぐことが出来る。
【００４７】
さらに、パターンＰ１１およびパターンＰ１２の各ラインには抵抗Ｒが直列に挿入されると共に、パターンＰ１１、Ｐ１２の各ラインと隣り合うガードグランドＧＮＤ１１、ＧＮＤ１２のパターンとの間にコンデンサＣを接続し、パターンＰ１１、Ｐ１２を流れるパネル駆動信号を平滑化する。つまり、パターンＰ１１、Ｐ１２を流れるパネル駆動信号に乗るノイズ成分をカットする。
【００４８】
以上より、コネクタ部４２ｂおよびコネクタ部４２ｃが上記出力端子を構成し、パターンＰ１１およびパターンＰ１２が上記ＩＣと上記出力端子とを接続する出力ラインを構成する。
【００４９】
一方、辺５１，５２とそれぞれ相対する辺５３，５４からは、それぞれインバータブロック４４、電源ブロック４３、アナログブロック４１との間で制御信号の入出力を行うための各リードやアナログブロック４１より映像・音声信号が入力される各リードが突出しており、これらリードと各ブロックとの間を接続するパターンとして、基板４０上にパターンＰ２１，２２が形成されている。パターンＰ２１，Ｐ２２でも、パターンＰ１１，Ｐ１２と同様のパターン同士を略平行とする引き回しが採用されており、辺５３より延出される複数本のパターンＰ２２は互いに略平行であり、同様に、辺５４より延出される複数本のパターンＰ２１も互いに略平行である。
【００５０】
また、外周グランドＧＮＤ０からパターンとして形成されるグランドＧＮＤ１が、辺５１と辺５２の間に位置する角からＩＣ４２ａの戴置される領域内に侵入して形成されており、ＩＣ４２ａの配置される位置にＩＣ４２ａと略同一形状のグランドパターンとして形成されるグランドＧＮＤ５と、パターンとして接続されている。
【００５１】
さらに、辺５２と辺５３の間に位置する角と、辺５３と辺５４の間に位置する角と、辺５４と辺５１の間に位置する角と、からグランドＧＮＤ５よりパターンとしてそれぞれグランドＧＮＤ２とグランドＧＮＤ３とグランドＧＮＤ４とが延出されている。ＩＣ４２ａの四隅から四方へと延出されるグランドＧＮＤ１〜４は、ＩＣ４２ａの角付近のグランド用リードや、ＩＣ４２ａの角付近に実装されるデバイスと電気的に接続されている。
【００５２】
（３）まとめ： 
つまり、インバータブロック４４を左右いずれかの端に形成し、デジタルブロック４２をインバータブロック４４とアナログブロック４１とを隔てるように上下いずれかの端に面して形成し、アナログブロック４１をインバータブロック４４の形成されない左右いずれかの端に形成し、電源ブロック４３をインバータブロック４４と隣り合う一隅に形成し、各ブロック４１〜４４のそれぞれの間および基板４０の周縁部にグランドを形成し、デジタルブロック４２において、パターンＰ１１、Ｐ１２の各ライン間にガードグランドＧＮＤ１１，１２を形成する。
【００５３】
以上説明したように、本実施例に対応する請求項２にかかる液晶テレビジョン用基板構造では、液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路とを単層基板に実装した液晶テレビジョン用基板構造において、上記インバータ回路は左右いずれかの端に形成され、上記デジタル処理回路はＩＣにて実現されるマイコンを備えるとともに上記インバータ回路と上記アナログ処理回路とを隔てるように上下いずれかの端に面して形成され、上記アナログ処理回路は上記インバータ回路の形成されない左右いずれかの端に形成され、上記電源回路は上記インバータ回路と隣り合う一隅に形成され、上記インバータ回路と上記デジタル処理回路と上記アナログ処理回路と上記電源回路のそれぞれの間および上記単層基板の周縁部に外周グランドが形成され、上記デジタル処理回路において、上記ＩＣと上記出力端子とを接続する出力ラインにガードグランドが形成される構成としてある。
上記のように構成した請求項２にかかる発明において、上記ガードグランドは上記出力ラインより輻射されるノイズを低減する。
上記のように構成した請求項２に記載の発明においては、各回路のレイアウトの最適化およびデジタルブロックにおけるガードグランドの形成といったノイズ対策を施すことにより、一枚の単層基板上に、液晶テレビジョンの駆動に必要な全ての電子回路を実装することが可能となり、単一の工程で実装が行える。従って、基板の基材と生産ラインの両者においてコストダウンを図ることが可能となると共に、取り付けの手間が減少するため作業者のミスを少なくすることが可能な液晶テレビジョン用基板構造を提供することが可能となる。
【００５４】
そして、請求項３にかかる発明では、上記請求項２に記載の液晶テレビジョン用基板構造において、上記ガードグランドは上記出力ラインの間に形成されること構成としてある。
上記のように構成した請求項３に記載の発明においては、デジタルブロックから輻射されるノイズをより低減することの可能な液晶テレビジョン用基板構造を提供することが可能となる。
【００５５】
さらに、請求項４にかかる発明では、上記請求項２または上記請求項３に記載の液晶テレビジョン用基板構造において、上記ＩＣは略矩形であり、同ＩＣの下に当該ＩＣと略同一形状のグランドパターンが形成されるとともに、同グランドパターンと電気的に接続しつつ当該ＩＣの四隅から四方へと延出されるグランドパターンが形成される構成としてある。
上記のように構成した請求項４にかかる発明において、上記グランドパターンは上記ＩＣおよび上記ＩＣの周辺に配置された電子デバイスにグランドを供給する。
上記のように構成した請求項４に記載の発明においては、よりノイズの輻射を低減することの可能な液晶テレビジョン用基板構造を提供することが可能となる。
【００５６】
また、請求項５にかかる発明では、上記請求項２〜請求項４に記載の液晶テレビジョン用基板構造において、上記電源回路より電源電圧を供給するレギュレータは、上記アナログ処理回路と上記デジタル処理回路とに電源電圧を供給する構成としてある。
上記のように構成した請求項５に記載の発明においては、アナログブロックに電源電圧を供給するレギュレータとデジタルブロックに電源電圧を供給するレギュレータとを共通化したため、基板のスペースを増やし、基板面積を有効利用することが可能な液晶テレビジョン用基板構造を提供することが可能となる。
【００５７】
さらに、請求項６にかかる発明は、上記請求項２〜請求項５のいずれかに記載の液晶テレビジョン用基板構造において、上記インバータ回路および上記電源回路の発熱部品は、上下に並ぶ位置に配置されるとともに、上記ＩＣの位置と上記発熱部品は左右にずれた位置に配置される構成としてある。
上記のように構成した請求項６に記載の発明においては、マイコンを含むＩＣに、発熱部品より放出される熱の影響が及びにくい液晶テレビジョン用基板構造を提供することが可能となる。
【００５８】
さらに、請求項７にかかる発明は、上記請求項２〜請求項６のいずれかに記載の液晶テレビジョン用基板構造上記単層基板は絶縁体に紙が使用される紙基板であること構成としてある。
上記のように構成した請求項７に記載の発明においては、紙基板を使用するため、さらなるコストダウンを図ることの可能な液晶テレビジョン用基板構造を提供することが可能となる。
【００５９】
以上の構成を踏まえた上で、請求項１の発明は、映像を画面に表示する平坦な表示面を前面に向けた液晶パネルと、音声を出力するスピーカと、上記液晶パネルとスピーカと基板とを収容する樹脂製のキャビネットと、ＩＣが実装されると共に同ＩＣの実装面が上記液晶パネルの背面と対面するように配置され、上記液晶パネルが備えるバックライトに交流電圧を供給するインバータ回路と、液晶パネルにパネル駆動信号を送出する出力端子を備えるデジタル処理回路と、入出力端子を備えるアナログ処理回路と、上記各回路に電源電圧を供給する電源回路と、が実装された基板とを備える液晶テレビジョンにおいて、上記基板は紙フェノールで形成された略矩形の一枚の単層基板であり、上記基板において、上記インバータ回路は左右いずれかの端に形成され、上記アナログ処理回路は上記インバータ回路の形成されない左右いずれかの端に形成され、上記デジタル処理回路はＩＣにて実現されるマイコンを備えるとともに上記インバータ回路と上記アナログ処理回路とを隔てるように上下いずれかの端に面して形成され、上記電源回路は上記インバータ回路と隣り合う一隅に形成され、周縁部に配線パターンにて形成される外周グランドが形成され、上記インバータ回路と上記デジタル処理回路と上記アナログ処理回路と上記電源回路のそれぞれのパターンを電気的に絶縁するグランドパターンが形成され、上記ＩＣは、略矩形であるとともに、単層基板の中心よりも同単層基板の４辺のうち液晶パネルとインターフェースにて接続される複数のコネクタ部が形成されている辺に接近した所定位置にて、同ＩＣの４辺のうち上記コネクタ部とパターンを介して接続する複数のリードをそれぞれ外部に突出させた一つの角を挟んだ２辺を、上記コネクタ部が形成されている辺と垂直な方向を挟んで略対称の傾きを持って当該辺に向かわせた状態で実装され、上記ＩＣの各辺より突出する複数のリードと上記複数のコネクタ部とを接続する複数のパターンは互いに略平行であり、同複数のパターンのうち上記２辺に接続されたパターンは上記液晶パネルを駆動するデジタル信号が出力されるともに、同複数のパターンのうち上記２辺以外に接続されたパターンからは上記アナログ処理回路よりアナログ信号が入力され、上記２辺にから突出するリードと上記コネクタ部とを接続する上記複数のパターンのそれぞれのラインの間に、上記外周グランドに接続されたパターンであるところのガードグランドが各バターンそれぞれの間に挟まれるように形成され、上記デジタル処理回路は表裏両面を金属製のシールドにて覆われ、上記インバータ回路および上記電源回路における発熱部品は上下に並ぶ位置に配置されるとともに、上記ＩＣの位置と上記発熱部品の位置は左右にずらして配置され、上記２辺に接続されたパターンには抵抗が直列に挿入されると共に、各パターンと隣り合う上記ガードグランドとの間にコンデンサが接続され、上記外周グランドに接続されたパターンとして形成されるグランドが、上記２辺の間に位置する角から上記ＩＣの配置される領域内に侵入して形成され、上記ＩＣの配置される位置に上記ＩＣと略同一形状のグランドパターンが形成され、上記角以外の角より同グランドパターンよりパターンとしてそれぞれ延出され、上記ＩＣの角付近のグランド用リードや、上記ＩＣの角付近に実装されるデバイスと電気的に接続されている構成としてある。
【００６０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６１】
【図１】液晶テレビジョンの概略構造斜視図。
【図２】基板上の各電子回路の配設位置などを示した図。
【図３】ＩＣと同ＩＣ周辺の基板上のパターンを示した図。
【図４】シールドが取り付けられた基板の斜視図。
【図５】従来の基板上の各電子回路の配設位置などを示した図。
【符号の説明】
【００６２】
１０…フロントキャビネット
１１…フロント面
１６…開口
２０…液晶パネル
３０…リアキャビネット
４０…基板
８０…インターフェース
１００…液晶テレビジョン
４１…アナログブロック
４１ａ…入出力端子
４１ｂ…チューナ
４２…デジタルブロック
４２ａ…ＩＣ
４２ｂ、４２ｃ…コネクタ部
４３…電源ブロック
４３ａ…整流回路
４３ｂ…トランス
４３ｃ…ケーブル
４４…インバータブロック
４４ａ…インバータ
４４ｂ…コネクタ部
４５…発熱部品
５１〜５４…辺
Ｐ…パターン
Ｐ１１、Ｐ１２、Ｐ２１、Ｐ２２…パターン
Ｃ…コンデンサ
Ｒ…抵抗
ＧＮＤ０…外周グランド
ＧＮＤ１１、ＧＮＤ１２…ガードグランド
ＧＮＤ１〜５…グランド
１２０…液晶パネル
１８０…インターフェース
１４０…基板
１４１…アナログブロック
１４１ａ…入出力端子
１４１ｂ…チューナ
１４２…積層ガラス基板（デジタル基板）
１４２ａ…ＩＣ
１４３…電源ブロック
１４３ｃ…ケーブル
１４４…インバータブロック
１８２…インターフェース
【図１】
2007228166.tif 000003
【図２】
2007228166.tif 000004
【図３】
2007228166.tif 000005
【図４】
2007228166.tif 000006
【図５】
2007228166.tif 000007